(57)【要約】【課題】仕様の異なる複数の入力信号に対応できる表示駆動装置、表示駆動システム、集積回路装置及び表示駆動方法を提供すること。【解決手段】表示駆動装置１は、外部タイミング信号Ｓ１を計測して検出信号Ｓ２を生成する外部信号検出部１０と、検出信号Ｓ２に基づいて内部タイミング信号を生成する処理部２０と、内部タイミング信号Ｓ３に基づいて、表示パネル５００に画像情報を表示する駆動制御信号Ｓ４を生成する駆動制御信号生成部３０と、を備え、処理部２０は、内部タイミング信号Ｓ３を生成するための複数の仕様を有し、検出信号Ｓ２に基づいて、外部タイミング信号Ｓ１が複数の仕様のいずれに該当するかを判定し、該当する仕様に基づいて、内部タイミング信号Ｓ３を生成する。【選択図】図１
2015184452.tif 000002
【特許請求の範囲】
【請求項１】
外部タイミング信号を計測して検出信号を生成する外部信号検出部と、
前記検出信号に基づいて内部タイミング信号を生成する処理部と、
前記内部タイミング信号に基づいて、表示パネルに画像情報を表示する駆動制御信号を生成する駆動制御信号生成部と、
を備え、
前記処理部は、
前記内部タイミング信号を生成するための複数の仕様を有し、
前記検出信号に基づいて、前記外部タイミング信号が前記複数の仕様のいずれに該当するかを判定し、該当する仕様に基づいて、前記内部タイミング信号を生成する、表示駆動装置。
【請求項２】
請求項１に記載の表示駆動装置において、
前記処理部は、
前記検出信号が変化した場合に前記判定を行う、表示駆動装置。
【請求項３】
請求項１又は２に記載の表示駆動装置において、
前記処理部は、
前記複数の仕様を記憶する記憶部を有する、表示駆動装置。
【請求項４】
請求項１ないし３のいずれか１項に記載の表示駆動装置において、
前記外部タイミング信号は、垂直同期信号、水平同期信号、イネーブル信号及びドットクロック信号を含み、
前記外部信号検出部は、前記ドットクロック信号を基準として前記垂直同期信号、前記水平同期信号及び前記イネーブル信号をカウントすることによって前記検出信号を生成する、表示駆動装置。
【請求項５】
請求項１ないし４のいずれか１項に記載の表示駆動装置において、
前記処理部は、前記外部タイミング信号の一部が前記該当する仕様を満たさない場合に、前記該当する仕様を満たすものとして前記内部タイミング信号を生成する、表示駆動装置。
【請求項６】
請求項１ないし５のいずれか１項に記載の表示駆動装置において、
前記処理部は、前記外部タイミング信号の連続性に基づいて、前記内部タイミング信号を生成する、表示駆動装置。
【請求項７】
請求項１ないし６のいずれか１項に記載の表示駆動装置と、
前記外部タイミング信号及び表示データを含む第１表示信号を生成する第１表示信号生成回路と、
前記外部タイミング信号及び表示データを含む第２表示信号を生成する第２表示信号生成回路と、
前記第１表示信号及び前記第２表示信号のいずれかを選択して前記表示駆動装置に出力する表示信号選択回路と、
を含む、表示駆動システム。
【請求項８】
請求項１ないし６のいずれか１項に記載の表示駆動装置を含む、集積回路装置。
【請求項９】
外部タイミング信号を計測して検出信号を生成する外部信号検出工程と、
前記検出信号に基づいて内部タイミング信号を生成する内部タイミング信号生成工程と
、
前記内部タイミング信号に基づいて、表示パネルに画像情報を表示する駆動制御信号を生成する駆動制御信号生成工程と、
を含み、
前記内部タイミング信号生成工程において、
前記内部タイミング信号を生成するための複数の仕様を有し、
前記検出信号に基づいて、前記外部タイミング信号が前記複数の仕様のいずれに該当するかを判定し、該当する仕様に基づいて、前記内部タイミング信号を生成する、表示駆動方法。
【発明の詳細な説明】
【技術分野】
【０００１】
本発明は、表示駆動装置、表示駆動システム、集積回路装置及び表示駆動方法に関する。
【背景技術】
【０００２】
電子機器に情報を表示するための表示装置として、液晶表示装置（ＬＣＤ；Liquid Crystal Display）などが用いられている。このような表示装置を駆動する装置についても種々の提案がなされている。
【０００３】
特許文献１には、水平同期信号や垂直同期信号等のタイミング信号が一時的に供給されない場合に、外部表示データに替えて白表示データを出力する表示駆動装置が開示されている。
【０００４】
特許文献２には、垂直同期信号が入力されてから次の垂直同期信号が入力されるまでの期間に、水平同期信号が入力される入力数を計数し、計数された信号入力数が所定範囲外である場合に、垂直同期信号又は水平同期信号が異常であると判定する画像表示装置が開示されている。
【先行技術文献】
【特許文献】
【０００５】
【特許文献１】特開２００７−９３６９５号公報
【特許文献２】特開２００３−１６７５４５号公報
【発明の概要】
【発明が解決しようとする課題】
【０００６】
特許文献１及び特許文献２においては、仕様が異なる複数の入力信号を受け付けるような使用態様は想定されていない。仮に、仕様が異なる入力信号を受け付けいようとする場合には、入力信号の仕様を変更する都度、内部タイミング信号を生成するための設定を変更する必要があった。画像表示装置は、入力信号の仕様の変更に対応する設定を外部から入力した後に入力信号を切替えて表示出力していた。
【０００７】
本発明は、以上のような技術的課題に鑑みてなされたものである。本発明のいくつかの態様によれば、仕様の異なる複数の入力信号に対応できる表示駆動装置、表示駆動システム、集積回路装置及び表示駆動方法を提供することができる。
【課題を解決するための手段】
【０００８】
本発明は前述の課題の少なくとも一部を解決するためになされたものであり、以下の態様又は適用例として実現することが可能である。
【０００９】
［適用例１］
本適用例に係る表示駆動装置は、外部タイミング信号を計測して検出信号を生成する外部信号検出部と、前記検出信号に基づいて内部タイミング信号を生成する処理部と、前記内部タイミング信号に基づいて、表示パネルに画像情報を表示する駆動制御信号を生成する駆動制御信号生成部と、を備え、前記処理部は、前記内部タイミング信号を生成するための複数の仕様を有し、前記検出信号に基づいて、前記外部タイミング信号が前記複数の仕様のいずれに該当するかを判定し、該当する仕様に基づいて、前記内部タイミング信号を生成する、表示駆動装置である。
【００１０】
本適用例によれば、検出信号に基づいて外部タイミング信号が複数の仕様のいずれに該当するかを判定し、該当する仕様に基づいて、内部タイミング信号を生成するので、仕様の異なる外部タイミング信号を含む複数の入力信号に対応できる表示駆動装置を実現できる。
【００１１】
［適用例２］
上述の表示駆動装置において、前記処理部は、前記検出信号が変化した場合に前記判定を行ってもよい。
【００１２】
これによって、全ての検出信号において判定を行う場合に比べて、判定に必要となる演算量を減らすことができる。
【００１３】
［適用例３］
上述の表示駆動装置において、前記処理部は、前記複数の仕様を記憶する記憶部を有してもよい。
【００１４】
これによって、複数の仕様を保持できる。
【００１５】
［適用例４］
上述の表示駆動装置において、前記外部タイミング信号は、垂直同期信号、水平同期信号、イネーブル信号及びドットクロック信号を含み、前記外部信号検出部は、前記ドットクロック信号を基準として前記垂直同期信号、前記水平同期信号及び前記イネーブル信号をカウントすることによって前記検出信号を生成してもよい。
【００１６】
これによって、簡易な回路構成で計測を行うことができる。
【００１７】
［適用例５］
上述の表示駆動装置において、前記処理部は、前記処理部は、前記外部タイミング信号の一部が前記該当する仕様を満たさない場合に、前記該当する仕様を満たすものとして前記内部タイミング信号を生成してもよい。
【００１８】
これによって、外部タイミング信号の一部が該当する仕様を満たさない場合にも、直ちにはエラーにならずに表示を継続できる。
【００１９】
［適用例６］
上述の表示駆動装置において、前記処理部は、前記外部タイミング信号の連続性に基づいて、前記内部タイミング信号を生成してもよい。
【００２０】
これによって、例えば、動画と静止画とでフレームレートを変更するなど、外部タイミング信号に応じた表示の調整を行うことができる。
【００２１】
［適用例７］
本適用例に係る表示駆動システムは、上述のいずれかの表示駆動装置と、前記外部タイミング信号及び表示データを含む第１表示信号を生成する第１表示信号生成回路と、前記外部タイミング信号及び表示データを含む第２表示信号を生成する第２表示信号生成回路と、前記第１表示信号及び前記第２表示信号のいずれかを選択して前記表示駆動装置に出力する表示信号選択回路と、を含む、表示駆動システムである。
【００２２】
本適用例によれば、第１表示信号及び第２表示信号のいずれにも対応できる表示駆動シ
ステムを実現できる。
【００２３】
［適用例８］
本適用例に係る集積回路装置は、上述のいずれかの表示駆動装置を含む、集積回路装置である。
【００２４】
本適用例によれば、仕様の異なる外部タイミング信号を含む複数の入力信号に対応できる表示駆動装置を含むので、仕様の異なる外部タイミング信号を含む複数の入力信号に対応できる集積回路装置を実現できる。
【００２５】
［適用例９］
本適用例に係る表示駆動方法は、外部タイミング信号を計測して検出信号を生成する外部信号検出工程と、前記検出信号に基づいて内部タイミング信号を生成する内部タイミング信号生成工程と、前記内部タイミング信号に基づいて、表示パネルに画像情報を表示する駆動制御信号を生成する駆動制御信号生成工程と、を含み、前記内部タイミング信号生成工程において、前記内部タイミング信号を生成するための複数の仕様を有し、前記検出信号に基づいて、前記外部タイミング信号が前記複数の仕様のいずれに該当するかを判定し、該当する仕様に基づいて、前記内部タイミング信号を生成する、表示駆動方法である。
【００２６】
本適用例によれば、検出信号に基づいて、外部タイミング信号が複数の仕様のいずれに該当するかを判定し、該当する仕様に基づいて、内部タイミング信号を生成するので、仕様の異なる外部タイミング信号を含む複数の入力信号に対応できる表示駆動方法を実現できる。
【図面の簡単な説明】
【００２７】
【図１】本実施形態に係る集積回路装置１０００の回路図である。
【図２】本実施形態に係る表示駆動方法の概要を示すフローチャートである。
【図３】本実施形態に係る表示駆動装置１の動作例を示すタイミングチャートである。
【図４】本実施形態に係る表示駆動装置１の他の動作例を示すタイミングチャートである。
【図５】本実施形態の変形例に係る集積回路装置１０００ａの回路図である。
【発明を実施するための形態】
【００２８】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２９】
１．表示駆動装置及び集積回路装置
図１は、本実施形態に係る集積回路装置１０００の回路図である。本実施形態に係る集積回路装置１０００は、表示駆動装置１を含んで構成されている。また、本実施形態においては、表示パネル５００は、液晶表示装置である。なお、表示パネル５００としては、有機エレクトロルミネッセンス表示装置や電気泳動表示装置など、種々の公知の表示パネルを採用できる。
【００３０】
本実施形態に係る表示駆動装置１は、外部信号検出部１０と、処理部２０と、駆動制御信号生成部３０と、を含んで構成されている。
【００３１】
外部信号検出部１０は、外部タイミング信号Ｓ１を計測して検出信号Ｓ２を生成する。外部タイミング信号Ｓ１は、例えば、垂直同期信号、水平同期信号、イネーブル信号及びドットクロック信号を含んでいてもよい。外部信号検出部１０は、ドットクロック信号を基準として垂直同期信号、水平同期信号及びイネーブル信号をカウントすることによって、外部タイミング信号Ｓ１を計測して、計測結果に基づいて検出信号Ｓ２を生成してもよい。
【００３２】
処理部２０は、検出信号Ｓ２に基づいて内部タイミング信号Ｓ３を生成する。処理部２０は、内部タイミング信号Ｓ３を生成するための複数の仕様を有し、検出信号Ｓ２に基づいて、外部タイミング信号Ｓ１が複数の仕様のいずれに該当するかを判定し、該当する仕様に基づいて、内部タイミング信号Ｓ３を生成する。処理部２０は、外部タイミング信号Ｓ１が複数の仕様のいずれにも該当しない場合には、エラー表示（例えば、全画面白表示や全画面黒表示など）用の内部タイミング信号Ｓ３を生成して出力してもよい。処理部２０は、継続的に検出信号Ｓ２の判定を行い、検出信号Ｓ２の判定のエラーが解消した場合に、エラー表示の出力を停止してもよい。その場合、処理部２０は該当する仕様に基づいた内部タイミング信号Ｓ３を出力する状態に復帰する。
【００３３】
図１に示される例では、処理部２０は、判定部２１、信号生成部２２及び記憶部２３を含んで構成されている。
【００３４】
判定部２１は、記憶部２３に記憶されている仕様（内部タイミング信号Ｓ３を生成するための仕様）に関する情報を参照し、検出信号Ｓ２に基づいて外部タイミング信号Ｓ１が複数の仕様のいずれに該当するかを判定し、判定結果に関する情報を、信号Ｓ２１を介して信号生成部２２に出力する。
【００３５】
信号生成部２２は、記憶部２３に記憶されている仕様（内部タイミング信号Ｓ３を生成するための仕様）に関する情報を参照し、判定部２１による判定結果に基づいて、内部タイミング信号Ｓ３を生成する。
【００３６】
記憶部２３は、内部タイミング信号Ｓ３を生成するための仕様に関する情報を記憶する。記憶部２３は、複数の仕様（内部タイミング信号Ｓ３を生成するための仕様）に関する情報を記憶する。記憶部２３は、例えば、不揮発性メモリーで構成されていてもよい。
【００３７】
駆動制御信号生成部３０は、内部タイミング信号Ｓ３に基づいて、表示パネル５００に画像情報を表示する駆動制御信号Ｓ４を生成する。図１に示される例では、駆動制御信号生成部３０は、駆動制御信号Ｓ４として、表示パネル５００を制御する走査ドライバー５０１に信号Ｓ４１を、表示パネル５００を制御する信号ドライバー５０２に信号Ｓ４２を出力している。また、図１に示される例では、駆動制御信号生成部３０は、外部タイミング信号Ｓ１に対応した表示データＤ１の入力を受け付け、駆動制御信号Ｓ４に対応した表示データＤ２として信号ドライバー５０２に出力している。
【００３８】
なお、本実施形態に係る表示駆動装置１の動作の具体例については、「２．表示駆動装置の動作例及び表示駆動方法」の項で後述される。
【００３９】
本実施形態に係る表示駆動装置１によれば、検出信号Ｓ２に基づいて、外部タイミング信号Ｓ１が複数の仕様のいずれに該当するかを判定し、該当する複数の仕様に基づいて、内部タイミング信号Ｓ３を生成するので、仕様の異なる外部タイミング信号を含む入力信号に対応できる表示駆動装置１を実現できる。表示駆動装置１は、例えば、第１の仕様の入力信号による表示出力の動作中に第２の仕様の入力信号を受信した場合に、内部タイミング信号Ｓ３を生成する設定を自動的に選択して第２の仕様の入力信号に対応した表示出
力を行うことができる。
【００４０】
本実施形態に係る表示駆動装置１において、処理部２０は、検出信号Ｓ２が変化した場合に判定を行ってもよい。この場合、例えば、外部信号検出部１０は、検出信号Ｓ２として、外部タイミング信号Ｓ１が変化したか否かを表す変更フラグを処理部２０に出力してもよい。これによって、全ての検出信号Ｓ２において判定を行う場合に比べて、判定に必要となる演算量を減らすことができる。
【００４１】
本実施形態に係る表示駆動装置１において、処理部２０は、検出信号Ｓ２に基づいて、外部タイミング信号Ｓ１が複数の仕様のいずれかの仕様を満たすか否かを判定し、外部タイミング信号Ｓ１の一部が該当する仕様を満たさない場合に、該当する仕様を満たすものとして内部タイミング信号Ｓ３を生成してもよい。処理部２０は、外部タイミング信号Ｓ１が該当する仕様に対して許容可能であるかの判定を行う。例えば、該当する仕様に対して許容範囲を設ける構成としてもよい。該当する仕様に対して許容可能である場合は、該当する仕様に基づいて内部タイミング信号Ｓ３を生成してもよい。図１に示される例では、判定部２１が、検出信号Ｓ２に基づいて、外部タイミング信号Ｓ１が複数の仕様のいずれかを満たすか否かを判定してもよい。
【００４２】
例えば、外部タイミング信号Ｓ１のポーチ期間のみが仕様を満たさないような場合など、軽微なエラーの場合には、エラー用の表示に切り替えたりせずに、表示を継続する方が好ましい場合がある。本実施形態によれば、外部タイミング信号Ｓ１の一部が仕様を満たさない場合にも、直ちにはエラーにならずに表示を継続できる。
【００４３】
本実施形態に係る表示駆動装置１において、処理部２０は、検出信号Ｓ２に基づいて、外部タイミング信号Ｓ１の連続性を判定し、外部タイミング信号Ｓ１の連続性に基づいて、内部タイミング信号Ｓ３を生成してもよい。図１に示される例では、判定部２１が、検出信号Ｓ２に基づいて、外部タイミング信号Ｓ１の連続性を判定してもよい。このような判定を行うことによって、動画と静止画とでフレームレートを変更するなど、外部タイミング信号Ｓ１に応じた表示の調整を行うことができる。例えば、入力信号が動画に変更された場合はフレームレートを大きくする制御を行い、入力信号が静止画に変更された場合はフレームレートを小さくする制御を行う。
【００４４】
本実施形態に係る集積回路装置１０００によれば、仕様の異なる外部タイミング信号Ｓ１を含む複数の入力信号に対応できる表示駆動装置１を含んで構成されているので、仕様の異なる外部タイミング信号Ｓ１を含む複数の入力信号に対応できる集積回路装置１０００を実現できる。
【００４５】
２．表示駆動装置の動作例及び表示駆動方法
図２は、本実施形態に係る表示駆動方法の概要を示すフローチャートである。以下では、上述の表示駆動装置１を用いて実現する例について説明する。
【００４６】
本実施形態に係る表示駆動方法は、外部タイミング信号Ｓ１を計測して検出信号Ｓ２を生成する外部信号検出工程（ステップＳ１００）と、検出信号Ｓ２に基づいて内部タイミング信号Ｓ３を生成する内部タイミング信号生成工程（ステップＳ１０２）と、内部タイミング信号Ｓ３に基づいて、表示パネル５００に画像情報を表示する駆動制御信号Ｓ４を生成する駆動制御信号生成工程（ステップＳ１０４）と、を含んでいる。
【００４７】
本実施形態においては、表示駆動装置１の外部信号検出部１０が、外部タイミング信号Ｓ１を計測して検出信号Ｓ２を生成する工程が、ステップＳ１００の外部信号検出工程に対応する。
【００４８】
本実施形態においては、表示駆動装置１の処理部２０が、検出信号Ｓ２に基づいて内部タイミング信号Ｓ３を生成する工程が、ステップＳ１０２の内部タイミング信号生成工程に対応する。内部タイミング信号生成工程（ステップＳ１０２）において、処理部２０は、内部タイミング信号Ｓ３を生成するための複数の仕様を有し、検出信号Ｓ２に基づいて、外部タイミング信号Ｓ１が複数の仕様のいずれに該当するかを判定し、該当する仕様に基づいて、内部タイミング信号Ｓ３を生成する。
【００４９】
本実施形態においては、表示駆動装置１の駆動制御信号生成部３０が、内部タイミング信号Ｓ３に基づいて、表示パネル５００に画像情報を表示する駆動制御信号Ｓ４を生成する工程が、ステップＳ１０４の駆動制御信号生成工程に対応する。
【００５０】
図３は、本実施形態に係る表示駆動装置１の動作例を示すタイミングチャートである。図３に示される例は、垂直ライン数及び水平ライン数が変化する例である。
【００５１】
図３（Ａ）には、外部タイミング信号Ｓ１として、垂直同期信号ＶＳＹＮＣ、水平同期信号ＨＳＹＮＣ、イネーブル信号ＥＮＡＢ、ドットクロック信号ＤＣＬＫが示され、表示データＤ１として、表示データＤＡＴＡが示されている。図３（Ｂ）には、検出信号Ｓ２として、変更フラグ、垂直パラメーター、水平パラメーターが示されている。図３（Ｃ）には、内部タイミング信号Ｓ３として、モード、垂直ライン数、水平ライン数が示されている。図３（Ｄ）には、駆動制御信号Ｓ４のうち信号Ｓ４１として、ゲート制御信号、ゲート選択アドレス信号が示され、信号Ｓ４２として、ソース制御信号、ソース選択アドレス信号が示され、表示データＤ２として、ＲＧＢデータが示されている。
【００５２】
図３に示される例では、第２フレームの時刻ｔ１にイネーブル信号ＥＮＡＢの幅が広がっていることを外部信号検出部１０が検出し、変更フラグをローレベルからハイレベルに変更して出力している。また、第１フレームではイネーブル信号ＥＮＡＢは４ラインであるが、第２フレーム以降では、イネーブル信号ＥＮＡＢは５ラインである。
【００５３】
第２フレームの時刻ｔ２において、処理部２０は、動作モードを、垂直ライン数が４、水平ライン数が２０の第１モードｍｏｄｅ１から、垂直ライン数が５、水平ライン数が４０の第２モードｍｏｄｅ２に変更する。
【００５４】
駆動制御信号生成部３０は、第２フレームの時刻ｔ２以前においては、動作モードが第１モードｍｏｄｅ１である処理部２０によって生成された内部タイミング信号Ｓ３に基づいて、駆動制御信号Ｓ４を生成する。また、駆動制御信号生成部３０は、第２フレームの時刻ｔ２よりも後においては、動作モードが第２モードｍｏｄｅ２である処理部２０によって生成された内部タイミング信号Ｓ３に基づいて、駆動制御信号Ｓ４を生成する。
【００５５】
このように、外部タイミング信号Ｓ１に応じて動作モードを変更して内部タイミング信号Ｓ３を生成することで、仕様の異なる外部タイミング信号Ｓ１を含む複数の入力信号に対応することができる。
【００５６】
図４は、本実施形態に係る表示駆動装置１の他の動作例を示すタイミングチャートである。図４に示される例は、垂直ポーチ期間及び水平ポーチ期間が変化する例である。
【００５７】
図４（Ａ）には、外部タイミング信号Ｓ１として、垂直同期信号ＶＳＹＮＣ、水平同期信号ＨＳＹＮＣ、イネーブル信号ＥＮＡＢ、ドットクロック信号ＤＣＬＫが示され、表示データＤ１として、表示データＤＡＴＡが示されている。図４（Ｂ）には、検出信号Ｓ２として、変更フラグ、垂直パラメーター、水平パラメーターが示されている。図４（Ｃ）
には、内部タイミング信号Ｓ３として、モード、垂直ライン数、水平ライン数が示されている。図４（Ｄ）には、駆動制御信号Ｓ４のうち信号Ｓ４１として、ゲート制御信号、ゲート選択アドレス信号が示され、信号Ｓ４２として、ソース制御信号、ソース選択アドレス信号が示され、表示データＤ２として、ＲＧＢデータが示されている。
【００５８】
図４に示される例では、第２フレームの時刻ｔ３に垂直同期信号ＶＳＹＮＣ及び水平同期信号ＨＳＹＮＣの幅が狭まっていることを外部信号検出部１０が検出し、変更フラグをローレベルからハイレベルに変更して出力している。
【００５９】
第２フレームの時刻ｔ４において、処理部２０は、動作モードを、垂直ライン数が４、水平ライン数が２０の第１モードｍｏｄｅ１のまま、タイミングを変更して内部タイミング信号Ｓ３を生成する。
【００６０】
駆動制御信号生成部３０は、第２フレームの時刻ｔ４以前においては、タイミングが変更される前の処理部２０によって生成された内部タイミング信号Ｓ３に基づいて、駆動制御信号Ｓ４を生成する。また、駆動制御信号生成部３０は、第２フレームの時刻ｔ４よりも後においては、タイミングが変更された後の処理部２０によって生成された内部タイミング信号Ｓ３に基づいて、駆動制御信号Ｓ４を生成する。
【００６１】
このように、ポーチ期間のみが変化した場合には、直ちにエラーとせずに、内部タイミング信号Ｓ３を調整して表示を継続することができる。
【００６２】
なお、上述の動作例においては、フレームごとのパイプライン処理は行っていないが、フレームごとのパイプライン処理を行ってもよい。
【００６３】
本実施形態に係る表示駆動方法によれば、検出信号Ｓ２に基づいて、外部タイミング信号Ｓ１が複数の仕様のいずれに該当するかを判定し、該当する仕様に基づいて、内部タイミング信号Ｓ３を生成するので、仕様の異なる外部タイミング信号Ｓ１を含む入力信号に対応できる表示駆動方法を実現できる。
【００６４】
３．表示駆動システム
図５は、本実施形態の変形例に係る集積回路装置１０００ａの回路図である。本実施形態に係る集積回路装置１０００ａは、表示駆動装置１を含む表示駆動システム１００を含んで構成されている。なお、上述の実施形態と同様の構成には同一の符号を付し、詳細な説明を省略する。
【００６５】
本実施形態に係る表示駆動システム１００は、表示駆動装置１と、第１表示信号生成回路１０１と、第２表示信号生成回路１０２と、表示信号選択回路１０３と、を含んで構成されている。
【００６６】
第１表示信号生成回路１０１は、外部タイミング信号Ｓ１１及び表示データＤ１１を含む第１表示信号を生成する。
【００６７】
第２表示信号生成回路１０２は、外部タイミング信号Ｓ１２及び表示データＤ１２を含む第２表示信号を生成する。
【００６８】
表示信号選択回路１０３は、第１表示信号（外部タイミング信号Ｓ１１及び表示データＤ１１）及び第２表示信号（外部タイミング信号Ｓ１２及び表示データＤ１２）のいずれかを選択して、外部タイミング信号Ｓ１及び表示データＤ１として表示駆動装置１に出力する。表示信号選択回路１０３は、選択制御信号Ｓ１３に基づいて、選択する表示信号を
決定してもよい。
【００６９】
本実施形態に係る表示駆動システム１００によれば、第１表示信号（外部タイミング信号Ｓ１１及び表示データＤ１１）及び第２表示信号（外部タイミング信号Ｓ１２及び表示データＤ１２）のいずれにも対応できる表示駆動システム１００を実現できる。
【００７０】
また、本実施形態に係る表示駆動システム１００は、表示駆動装置１を含んで構成されているので、「１．表示駆動装置及び集積回路装置」の項及び「２．表示駆動装置の動作例及び表示駆動方法」の項で説明した理由と同様の理由により同様の効果を奏する。
【００７１】
以上、本実施形態あるいは変形例について説明したが、本発明はこれら本実施形態あるいは変形例に限られるものではなく、その要旨を逸脱しない範囲において種々の態様で実施することが可能である。
【００７２】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００７３】
１…表示駆動装置、１０…外部信号検出部、２０…処理部、２１…判定部、２２…信号生成部、２３…記憶部、３０…駆動制御信号生成部、１００…表示駆動システム、１０１…第１表示信号生成回路、１０２…第２表示信号生成回路、１０３…表示信号生成回路、５００…表示パネル、５０１…走査ドライバー、５０２…信号ドライバー、１０００，１０００ａ…集積回路装置、Ｄ１，Ｄ２，Ｄ１１，Ｄ１２…表示データ、Ｓ１…外部タイミング信号、Ｓ２…検出信号、Ｓ３…内部タイミング信号、Ｓ４…駆動制御信号、Ｓ１１…第１表示信号、Ｓ１２…第２表示信号、Ｓ１３…選択制御信号、Ｓ２１，Ｓ４１，Ｓ４２…信号
【図１】
2015184452.tif 000003
【図２】
2015184452.tif 000004
【図３】
2015184452.tif 000005
【図４】
2015184452.tif 000006
【図５】
2015184452.tif 000007